(57)【特許請求の範囲】
【請求項１】
配電用柱上変圧器を停電させる工事に用いられる電源切換装置であって、
第一の入力端子から入力された交流電流を直流電流に変換して第一の出力端子から出力するコンバータと、
この第一の出力端子に第二の入力端子が接続されたインバータと、
このインバータの第五の入力端子に第四の出力端子が接続された同期回路と、
前記第一の入力端子及び前記インバータの第二の出力端子に第三の入力端子及び第三の出力端子がそれぞれ接続されて前記コンバータ及び前記インバータに並列接続される開閉器と、
この開閉器を内蔵し、前記第三の入力端子及び前記第三の出力端子にそれぞれ接続された一対の第一の端子部が下面に設けられた本体上部と、
前記コンバータと前記インバータと前記同期回路を内蔵し、この本体上部に対して着脱可能に取り付けられるとともに前記第一の入力端子及び前記第二の出力端子にそれぞれ接続された一対の第二の端子部が上面に設けられた本体下部と、を備え、
前記第一の端子部と前記第二の端子部は互いに挿抜可能に形成され、
前記同期回路は、第四の入力端子から入力された交流電流に基づいて前記インバータの動作を制御するための制御信号を前記第四の出力端子から出力し、
前記インバータは、この制御信号に従って、前記第四の入力端子から入力された前記交流電流に同期するように、前記第二の入力端子から入力された前記直流電流を交流電流に変換して前記第二の出力端子から出力することを特徴とする電源切換装置。
【請求項２】
前記本体上部と前記本体下部のうちのいずれか一方の側面に留め金が取り付けられるとともに、
この留め金に掛合する掛合部材が、その掛合状態を解除可能に前記本体上部と前記本体下部のうちの他方の側面に取り付けられたことを特徴とする請求項１記載の電源切換装置。
【請求項３】
吊り下げ用ロープの端部を引掛けるための連結具が設けられたことを特徴とする請求項１又は請求項２に記載の電源切換装置。
【請求項４】
電柱の側面に当接可能に接触面が設けられた固定具が背面に取り付けられ、
この固定具は、前記接触面が前記電柱の側面の曲率に合わせた曲面状に形成されたことを特徴とする請求項１乃至請求項３のいずれか１項に記載の電源切換装置。
【請求項５】
高さ方向に対して平行な軸を中心として回動可能に、先端がフック状をなす係止具が取り付けられたことを特徴とする請求項１乃至請求項３のいずれか１項に記載の電源切換装置。
【発明の詳細な説明】
【技術分野】
【０００１】
本発明は、配電用柱上変圧器を停電させる工事において、隣接柱の他の変圧器から仮引込線を施設し無停電で切換を実施する際に用いられる電源切換装置に係り、特に、変圧器高圧側接続相の異なる低圧引込線同士を無停電で接続することを可能とする電源切換装置に関する。
【背景技術】
【０００２】
配電線工事において柱上変圧器等の配電用変圧器を停電させる場合、隣接柱の他の変圧器から仮引込線を施設するなどして低圧配電線の電源の切り換えを行っている。通常、この作業は、短時間であれば停電状態で行われることが多い。ただし、顧客の要望等により、上記電源の切り換えを無停電状態で行わなければならない場合もある。しかしながら、隣接柱の変圧器の高圧側接続相が同一でない場合、さらに遠くの電柱に設置された変圧器から仮引込線を施設しなければならないため、作業工数が長くなり、工事コストが高くなってしまうという課題があった。
【０００３】
このような課題を解決するものとして、例えば、特許文献１には、「低圧配電線工事の電源切換装置」という名称で、工事バンクの配電用変圧器の取換等を目的とした配電線工事を行う際に、低圧配電線の電源を無停電で切り換えることを可能とする装置に関する発明が開示されている。
特許文献１に開示された発明は、整流回路と、インバータと、変圧器と、開閉器と、制御回路等を備え、これらが運搬可能に同一の筺体に収容された構造となっている。
このような構造によれば、隣接柱の変圧器の高圧側接続相が同一でない場合でも、整流回路やインバータによって両者を同期させることにより、低圧配電線の電源を無停電で切り換えることができる。したがって、配電線に接続されたモータ等に悪影響を与えないように、無停電での配電線工事が可能となる。
【０００４】
また、特許文献２には、「移動用電源装置及びその装置による無停電救済作業方法」という名称で、配電線工事等の際に、移動発電機の出力を負荷群に無停電で供給できるようにした装置とその装置を用いた無停電救済作業方法に関する発明が開示されている。
特許文献２に開示された発明である「移動用電源装置」は、発電機と、開閉器と、電源側配電線から位相等の情報を得るための非接触センサと、その情報に基づいて負荷側配電線と発電機の出力調整を行う位相追従形並列装置からなり、移動電源車に搭載可能な構造となっている。
このような構造の移動用電源装置を用いれば、配電線工事において、自動開閉装置を設けなくとも、発電機の出力を負荷群に無停電で供給することができる。
【先行技術文献】
【特許文献】
【０００５】
【特許文献１】特開平７−２１２９７４号公報
【特許文献２】特開平８−３３２３８号公報
【発明の概要】
【発明が解決しようとする課題】
【０００６】
上述の従来技術である特許文献１に記載された発明の電源切換装置においては、明細書に整流器やインバータ等が同一筺体に収容されて形成されると記載されていることから、運搬が容易な構造といえる。しかしながら、その電源切換装置が配電線に対して具体的にどのように設置されるかについては、不明である。したがって、この発明に係る電源切換装置は、工事を行う場所によっては設置できないおそれがある。また、この発明に係る電源切換装置では配電線に対して長期間設置することができないと考えられる。
【０００７】
また、特許文献２に記載された発明の移動用電源装置においては、移動用電源車が近づけないような場所では、作業ができないという課題があった。さらに、移動用電源車を長い時間、駐車しておくと、一般に、交通の妨げとなることから、この移動用電源装置においては、特許文献１に記載された電源切換装置と同様に、長期間、配電線に設置したままの状態にすることができないという課題があった。
【０００８】
本発明はかかる従来の事情に対処してなされたものであって、配電線への取付け又は配電線からの取り外しや運搬等の作業が容易であるとともに、配電線に対して長期間設置可能な電源切換装置を提供することを目的とする。
【課題を解決するための手段】
【０００９】
上記目的を達成するため、請求項１記載の発明は、配電用柱上変圧器を停電させる工事に用いられる電源切換装置であって、第一の入力端子から入力された交流電流を直流電流に変換して第一の出力端子から出力するコンバータと、この第一の出力端子に第二の入力端子が接続されたインバータと、このインバータの第五の入力端子に第四の出力端子が接続された同期回路と、第一の入力端子及びインバータの第二の出力端子に第三の入力端子及び第三の出力端子がそれぞれ接続されてコンバータ及びインバータに並列接続される開閉器と、この開閉器を内蔵し、第三の入力端子及び第三の出力端子にそれぞれ接続された一対の第一の端子部が下面に設けられた本体上部と、コンバータとインバータと同期回路を内蔵し、この本体上部に対して着脱可能に取り付けられるとともに第一の入力端子及び第二の出力端子にそれぞれ接続された一対の第二の端子部が上面に設けられた本体下部と、を備え、第一の端子部と第二の端子部は互いに挿抜可能に形成され、同期回路は、第四の入力端子から入力された交流電流に基づいてインバータの動作を制御するための制御信号を第四の出力端子から出力し、インバータは、この制御信号に従って、第四の入力端子から入力された交流電流に同期するように、第二の入力端子から入力された直流電流を交流電流に変換して第二の出力端子から出力することを特徴とするものである。
【００１０】
上記構造の電源切換装置を低圧配電線と仮引込線の近傍に配置し、開閉器を開いた状態で仮引込線と、既設引込線に接続された常時系統の低圧配電線をコンバータの第一の入力端子及びインバータの第二の出力端子にそれぞれ接続するとともに、低圧配電線を同期回路の第四の入力端子に接続すると、仮引込線から第一の入力端子に入力された交流電流がコンバータによって直流電流に変換された後、低圧配電線の交流電流と同期するように、インバータによって交流電流に再び変換され、第二の出力端子から既設引込線に供給されるという作用を有する。
また、本体上部に比べて重量のある本体下部を分離することにより全体が軽量化するという作用を有する。
【００１２】
請求項２に記載の発明は、請求項１に記載の電源切換装置において、本体上部と本体下部のうちのいずれか一方の側面に留め金が取り付けられるとともに、この留め金に掛合する掛合部材がその掛合状態を解除可能に本体上部と本体下部のうちの他方の側面に取り付けられたことを特徴とするものである。
このような構造の電源切換装置においては、請求項１に記載の発明の作用に加えて、本体下部を本体上部から取り外したり、本体上部に取り付けたりする作業が容易であるという作用を有する。
【００１３】
請求項３に記載の発明は、請求項１又は請求項２に記載の電源切換装置において、吊り下げ用ロープの端部を引掛けるための連結具が設けられたことを特徴とするものである。
このような構造の電源切換装置においては、請求項１又は請求項２に記載の発明の作用に加えて、連結具を利用することにより、吊り下げ用ロープの端部が確実に固定されるという作用を有する。
【００１４】
さらに、請求項４に記載の発明は、請求項１乃至請求項３のいずれか１項に記載の電源切換装置において、電柱の側面に当接可能に接触面が設けられた固定具が背面に取り付けられ、この固定具は、接触面が電柱の側面の曲率に合わせた曲面状に形成されたことを特徴とするものである。
このような構造の電源切換装置においては、請求項１乃至請求項３のいずれか１項に記載の発明の作用に加えて、固定具の接触面を電柱の側面に当接させることにより、電柱に対する設置状態が安定するという作用を有する。
【００１５】
請求項５に記載の発明は、請求項１乃至請求項３のいずれか１項に記載の電源切換装置において、高さ方向に対して平行な軸を中心として回動可能に、先端がフック状をなす係止具が取り付けられたことを特徴とするものである。
このような構造の電源切換装置においては、請求項１乃至請求項３のいずれか１項に記載の発明の作用に加えて、高所作業車を用いて作業を行う際に、作業者が乗り込むバスケット部の縁に係止具の先端を係止させると、バスケット部に対して確実に固定されるという作用を有する。
【発明の効果】
【００１６】
前述のとおり、請求項１に記載の発明においては、開閉器を開いた状態で仮引込線と、常時系統の低圧配電線に接続された既設引込線にコンバータの第一の入力端子及びインバータの第二の出力端子をそれぞれ接続すると、仮引込線から入力された交流電流が、低圧配電線と同期をとった状態で既設引込線に供給される。このとき、低圧配電線に対する既設引込線の接続を切り離して、インバータの位相角を仮引込線に同期させると、仮引込線と既設引込線は、電源切換装置を用いずに直接、接続可能な状態となる。
すなわち、本発明によれば、柱上変圧器の交換工事等において、作業が完了するまで、邪魔にならないように、既設引込線と仮引込線から取り外しておくことができる。
また、本体下部を分離して軽量化することにより、吊線等に対して長期間吊り下げることができるという効果を奏する。したがって、隣接柱に設置された他の変圧器から仮引込線を施設し低圧配電線の電源を無停電で切り換える作業を行う際に、仮引込線を既設引込線に接続する必要がないため、作業時間と作業コストを大幅に削減することができる。
【００１８】
請求項２に記載の発明によれば、請求項１に記載の発明の効果に加えて、運搬時や保管時の作業効率が向上するという効果を奏する。
【００１９】
本発明の請求項３に記載の発明によれば、請求項１又は請求項２に記載の発明の効果に加えて、吊り下げ用ロープを用いて吊線等から吊り下げるようにして、所望の場所に設置できるという効果を奏する。
【００２０】
請求項４に記載の発明によれば、請求項１乃至請求項３のいずれか１項に記載の発明の効果に加えて、固定具の接触面を電柱の側面に当接させた状態で繊維バンド等を用いて固定することにより、吊線等から吊り下げることができない場所に対しても安全に設置できるという効果を奏する。
【００２１】
請求項５に記載の発明によれば、請求項１乃至請求項３のいずれか１項に記載の発明の効果を奏することに加え、高所作業車を用いた作業の安全性が高いため、低圧配電線と仮引込線の近傍に設置する作業を容易かつ安全に行うことが可能である。
【図面の簡単な説明】
【００２２】
【図１】（ａ）は低圧配電線と引込線の関係を模式的に示した図であり、（ｂ）は本発明の実施の形態に係る電源切換装置の実施例１の構成を示すブロック図である。
【図２】隣接柱に設置された他の変圧器から仮引込線を施設する作業を実施例１の電源切換装置を用いて行う手順を示したフローチャートである。
【図３】（ａ）及び（ｂ）は実施例１の電源切換装置を引込線に取り付けた状態を示す系統図である。
【図４】（ａ）及び（ｂ）は実施例１の電源切換装置を引込線に取り付けた状態を示す系統図である。
【図５】（ａ）及び（ｂ）は実施例１の電源切換装置を引込線に取り付けた状態を示す系統図である。
【図６】仮引込線を撤去する作業を実施例１の電源切換装置を用いて行う手順を示したフローチャートである。
【図７】（ａ）及び（ｂ）は実施例１の電源切換装置を引込線に取り付けた状態を示す系統図である。
【図８】（ａ）及び（ｂ）は実施例１の電源切換装置を引込線に取り付けた状態を示す系統図である。
【図９】（ａ）及び（ｂ）は実施例１の電源切換装置を引込線に取り付けた状態を示す系統図である。
【図１０】（ａ）及び（ｂ）はそれぞれ本発明の実施の形態に係る電源切換装置の実施例２の構成を示すブロック図及びその外観を示す正面図である。
【図１１】（ａ）乃至（ｃ）はそれぞれ実施例２の電源切換装置の外観を示す平面図、側面図及び背面図である。
【図１２】（ａ）及び（ｂ）はそれぞれ実施例２の電源切換装置の本体上部及び本体下部の外観を示す正面図であり、（ｃ）は本体下部の側面図であり、（ｄ）は本体上部及び本体下部の端子部が接続された状態を部分的に拡大して示す図である。
【図１３】（ａ）及び（ｂ）はそれぞれ実施例２の電源切換装置の本体上部が吊線及び電柱にそれぞれ設置された状態を示した模式図である。
【図１４】隣接柱に設置された他の変圧器から仮引込線を施設する作業を実施例２の電源切換装置を用いて行う手順を示したフローチャートである。
【図１５】（ａ）及び（ｂ）は実施例２の電源切換装置を仮引込線に取り付けた状態を表す系統図である。
【図１６】仮引込線を撤去する作業を実施例２の電源切換装置を用いて行う手順を示したフローチャートである。
【図１７】（ａ）及び（ｂ）は実施例２の電源切換装置を既設引込線と仮引込線に取り付けた状態を表す系統図である。
【図１８】（ａ）及び（ｂ）は実施例２の電源切換装置を既設引込線と仮引込線に取り付けた状態を表す系統図である。
【発明を実施するための形態】
【００２３】
本発明の電源切換装置を用いて、隣接柱に設置された他の変圧器から仮引込線を施設し低圧配電線の電源を無停電で切り換える作業について、図１〜図１８を用いて説明する。
【実施例１】
【００２４】
図１（ａ）は低圧配電線５３ａ，５３ｂと既設引込線５４ａ及び仮引込線５４ｂの関係を示した模式図であり、図１（ｂ）は本実施例の電源切換装置１ａの構成を示すブロック図である。
図１（ａ）に示すように、高圧配電線５０を流れる高圧の電気は、電柱５１ａ，５１ｂに設置された柱上変圧器５２ａ，５２ｂによって電圧を下げられた後、常時系統の低圧配電線５３ａから既設引込線５４ａを通って各電気使用者に供給されるが、柱上変圧器５２ａの停電工事等において、電気使用者の建物５５に設置される既設引込線５４ａと常時系統の低圧配電線５３ａとの接続を遮断しなければならない場合には、隣接する電柱５１ｂに設置された柱上変圧器５２ｂに接続される低圧配電線５３ｂから仮引込線５４ｂを施設するなどして低圧配電線５３ｂから既設引込線５４ａに電気を供給する必要がある。
【００２５】
図１（ｂ）に示すように、本発明の電源切換装置１ａでは、開閉器１９の入力端子及び出力端子としてそれぞれ端子１６ａ，１６ｂが設けられており、端子１６ａが仮引込線５４ｂに接続され、端子１６ｂが既設引込線５４ａに接続されている。また、開閉器１９は、端子１６ａ，１６ｂにコンバータ１７の入力端子とインバータ１８の出力端子がそれぞれ接続されるようにして、コンバータ１７及びインバータ１８に対して並列接続されている。さらに、コンバータ１７の出力端子にはインバータ１８の入力端子が接続され、インバータ１８の同期回路用入力端子には同期回路２０の出力端子が接続されている。
そして、同期回路２０は、端子１６ｃに接続された仮引込線５４ｂや常時系統の低圧配電線５３ａを流れる交流電流の位相を検出し、この位相に端子１６ｂから出力される交流電流の位相を同期させるための制御信号を生成し、上記出力端子から出力する。
すなわち、電源切換装置１ａは、端子１６ａから供給される交流電流をコンバータ１７によって直流電流に変換し、インバータ１８が、同期回路２０で生成された制御信号に従って、端子１６ｃに接続された仮引込線５４ａや常時系統の低圧配電線５３ａを流れる交流電流の位相と同期するように、コンバータ１７から送られる直流電流を再び交流電流に変換して、端子１６ｂから出力する構造となっている。
【００２６】
さらに、電源切換装置１ａは、電子回路のスイッチングによる高調波流出を防ぐため、アクティブフィルタを内蔵しており、電源を機器本体に接続された電源ケーブル（図示せず）を介して低圧配電線５３ａ，５３ｂなどから得る構造となっている。また、既設引込線５４ａや仮引込線５４ｂ、あるいは低圧配電線５３ａとの接続は、ケーブル２１（図３〜図５参照）を用いて行われる。なお、ケーブル２１は、一端が端子１６ａ〜１６ｃに接続可能に形成され、他端は締付型クランプを用いて既設引込線５４ａ等に固定される構造となっている。
【００２７】
常時系統の低圧配電線５３ａに代えて低圧配電線５３ｂから既設引込線５４ａへ電気を供給するためには、低圧配電線５３ｂと既設引込線５４ａの間に仮引込線５４ｂを施設する必要がある。以下、電源切換装置１ａを用いて、この作業を行う手順について、図２〜図５を参照しながら説明する。
図２は低圧配電線５３ａの電源を無停電で切り換える作業において、隣接する他の電柱５１ｂに設置された柱上変圧器５２ｂから仮引込線５４ｂを施設する作業を電源切換装置１ａを用いて行う手順を示したフローチャートである。また、図３〜図５は電源切換装置１ａを仮引込線５４ｂに取り付けた状態を表す系統図である。
なお、以下の説明において、図１に示した構成要素については同一の符号を付してその説明を省略する。
【００２８】
図２に示すように、まず、ステップＳ１において、高所作業車等を用いて低圧配電線５３ａと仮引込線５４ｂの近傍に電源切換装置１ａを配置し、開閉器１９を開いた状態で仮引込線５４ｂと既設引込線５４ａを端子１６ａ，１６ｂに接続する（図３（ａ）参照）。ただし、この時点ではまだインバータ１８から既設引込線５４ａには交流電流が供給されていない。
次に、ステップＳ２において、常時系統の低圧配電線５３ａと同期をとってインバータ１８から端子１６ｂを介して既設引込線５４ａに電気を供給し（図３（ｂ）参照）、ステップＳ３において、常時系統の低圧配電線５３ａに対する既設引込線５４ａの接続を切り離す（図４（ａ）参照）。
ステップＳ４では、インバータ１８の位相角を仮引込線５４ｂに同期させ（図４（ｂ）参照）、ステップＳ５では、開閉器１９を閉じ（図５（ａ）参照）、ステップＳ６では、既設引込線５４ａと仮引込線５４ｂを直接、接続する（図５（ｂ）参照）。その後、ステップＳ７において、電源切換装置１ａを既設引込線５４ａ及び仮引込線５４ｂから取り外す。
【００２９】
柱上変圧器５２ａの交換工事等が完了した場合、仮引込線５４ｂの接続を切り離して既設引込線５４ａを常時系統の低圧配電線５３ａに再び接続する必要がある。以下、電源切換装置１ａを用いて、この作業を行う手順について、図６〜図９を参照しながら説明する。
図６は低圧配電線５３ａの電源を無停電で切り換える作業において、隣接する他の電柱５１ｂに設置された柱上変圧器５２ｂとの間に施設した仮引込線５４ｂを撤去する作業を電源切換装置１ａを用いて行う手順を示したフローチャートである。また、図７〜図９は電源切換装置１ａを仮引込線５４ｂに取り付けた状態を表す系統図である。
図６に示すように、まず、ステップＳ１０において、高所作業車等を用いて低圧配電線５３ａと仮引込線５４ｂの近傍に電源切換装置１ａを配置し、開閉器１９を開いた状態で仮引込線５４ｂと既設引込線５４ａを端子１６ａ，１６ｂに接続する。なお、この時点ではまだインバータ１８から既設引込線５４ａに対して交流電流は供給されていない。
【００３０】
次に、ステップＳ１１において、インバータ１８の位相角を仮引込線５４ｂに同期させ（図７（ａ）参照）、インバータ１８から端子１６ｂを介して既設引込線５４ａに電気を供給する。さらに、ステップＳ１２では、開閉器１９を閉じ（図７（ｂ）参照）、ステップＳ１３において、仮引込線５４ｂと既設引込線５４ａの接続を切り離す（図８（ａ）参照）。
そして、ステップＳ１４において、開閉器１９を開いた後（図８（ｂ）参照）、ステップＳ１５において、インバータ１８の位相角を常時系統の低圧配電線５３ａに同期させる（図９（ａ）参照）。
ステップＳ１６では、既設引込線５４ａを常時系統の低圧配電線５３ａに接続し（図９（ｂ）参照）、ステップＳ１７では、電源切換装置１ａを既設引込線５４ａ及び仮引込線５４ｂから取り外す。
このように、電源切換装置１ａにおいては、柱上変圧器５２ａの交換工事等が完了するまでの間、邪魔にならないように既設引込線５４ａと仮引込線５４ｂから取り外しておくことで、作業性を向上させることがする。
【実施例２】
【００３１】
前述の作業において工期が長くなる場合には、仮引込線５４ｂを既設引込線５４ａに接続した後、一旦、既設引込線５４ａと仮引込線５４ｂから取り外すとともに（図２のステップＳ７）、柱上変圧器５２ｂの交換工事等が完了した後に、再び、既設引込線５４ａと仮引込線５４ｂに取り付ける（図６のステップＳ１０）という作業を行わなければならない。その結果、工期がさらに長くなり、作業コストが嵩んでしまうことになる。
そこで、このような場合でも対応できる構造について、図１０〜図１８を参照しながら説明する。
【００３２】
図１０（ａ）及び図１０（ｂ）は本実施例の電源切換装置１ｂの構成を示すブロック図及びその外観を示す正面図であり、図１１（ａ）〜図１１（ｃ）は電源切換装置１ｂの外観を示す平面図、側面図及び背面図である。
また、図１２（ａ）及び図１２（ｂ）はそれぞれ電源切換装置１ｂの本体上部３及び本体下部４の外観を示す正面図であり、図１２（ｃ）は本体下部４の側面図であり、図１２（ｄ）は本体上部３及び本体下部４の端子部２ａ，２ｂが接続された状態を部分的に拡大して示す図である。さらに、図１３（ａ）及び図１３（ｂ）はそれぞれ電源切換装置１ｂの本体上部３が吊線２２及び電柱５１ａに設置された状態を示した模式図である。
なお、図１〜図９に示した構成要素については同一の符号を付して、その説明を省略する。
【００３３】
図１０〜図１３に示すように、電源切換装置１ｂは、図１（ｂ）に示した実施例１の電源切換装置１ａにおいて、端子部２ａ，２ａが設けられた本体上部３に開閉器１９が内蔵され、端子部２ｂ，２ｂが設けられた本体下部４にコンバータ１７及びインバータ１８が内蔵されるとともに、互いに挿抜自在に形成される一対の端子部２ａ，２ｂを介して開閉器１９がコンバータ１７とインバータ１８に対して着脱可能に並列接続される構造となっている。なお、端子１６ａ，１６ｂは開閉器１９の入力端子と出力端子にそれぞれ接続されるとともに、端子部２ａ，２ａに接続されており、端子部２ｂ，２ｂは、コンバータ１７の入力端子とインバータ１８の出力端子にそれぞれ接続されている。
また、本体上部３と本体下部４は、配電線工事を行う現場（屋外）に長期間放置した場合に破損したり、内部へ雨水等が侵入したりすることがないように、高剛性で防水性に優れる繊維強化プラスチックによって形成されている。
【００３４】
本体上部３は、上面３ａの４隅近傍に、４本のアイボルト５が吊り下げ用ロープ１５（図１３（ａ）参照）の端部に取り付けられたフックを引掛けるための連結具としてそれぞれ取り付けられており、側面３ｂ，３ｂには、端子１６ａ〜１６ｃに対して電気的に接続された３つのカプラ６と、側面視Ｌ字状をなす留め金７，７がそれぞれ取り付けられている。なお、端子１６ｃとカプラ６の間は、後述する端子部２ａ，２ｂのような構造を備えた接続部（図示せず）によって接続状態と切断状態を切り換え可能に接続されている。ただし、端子１６ｃが接続されるカプラ６は、本体上部３に代えて、本体下部４に設けても良い。この場合、上述の接続部は不要となる。
一方、本体上部３の背面３ｃには、電柱５１ａ，５１ｂの側面に対して接触面８ａを当接可能に金属製の固定具８が取り付けられている。なお、接触面８ａは電柱５１ａ，５１ｂの側面の曲率に合わせた曲面状に形成されている。
【００３５】
本体下部４は、側面４ｂ，４ｂに、掛合部材として蝶ネジ９，９が各先端を留め金７に対して掛合可能にそれぞれ取り付けられており、背面４ｃには、先端がフック状をなす係止具１０，１０が高さ方向に平行な軸を中心として回動可能に蝶番１１，１１を用いて取り付けられている。そして、蝶ネジ９，９の各基端は、回動軸９ａにそれぞれ連結されており、この回動軸９ａは、側面４ｂに対し、その幅方向と平行に、かつ、回動自在に設置されている。
なお、留め金７，７は、本体上部３に限らず、本体下部４に取り付けられていても良い。ただし、この場合、蝶ネジ９，９は本体上部３に取り付けられることになる。また、掛合部材には、蝶ネジ９に限らず、先端が留め金７に掛合可能に形成された板状体や棒状体等を用いることもできる。
【００３６】
図１２（ａ）〜図１２（ｃ）に示すように、本体上部３には、一対の端子部２ａ，２ａが内蔵され、本体下部４の上面４ａには、本体上部３の下面３ｄに設けられた端子部挿通孔（図示せず）に挿通することで端子部２ａ，２ａに対して接続可能に、一対の端子部２ｂ，２ｂが設けられている。なお、本体下部４を取り外して本体上部３のみを配電線工事の現場等に放置する際には、内部への雨水等の侵入を防ぐために、上述の端子部挿孔に対し防水キャップ（図示せず）が嵌設される構造となっている。
【００３７】
図１２（ｄ）に示すように、端子部２ａは、防水性を有する材質からなるカバー１３の内側に一対の電極１２ａ，１２ａが配置され、この電極１２ａとカバー１３の間には電極１２ａ，１２ａを互いに近付ける方向へ付勢するためのバネ１４が設置されている。したがって、端子部２ｂを構成する一対の電極１２ｂ，１２ｂを端子部２ａの電極１２ａ，１２ａの間に挿入した場合、バネ１４によって電極１２ａ，１２ａと電極１２ｂ，１２ｂの接触圧が高められるとともに、カバー１３によって端子部２ａの内部への雨水等の侵入が阻止される。
【００３８】
このような構造の電源切換装置１ｂにおいては、本体下部４を本体上部３から取り外したり、本体下部４を本体上部３に取り付けたりする作業が容易であるため、運搬時や保管時の作業効率が向上する。そして、本体上部３に比べて重量のある本体下部４を分離することで軽量化するという作用を有する。
また、高所作業車を用いて作業を行う際に、作業者が乗り込むバスケット部の縁に係止具１０，１０の先端を係止させると、バスケット部に対して確実に固定されるため、作業の安全性が向上する。すなわち、電源切換装置１ｂによれば、高所作業車を用いた作業の安全性が高いため、低圧配電線５３ａと仮引込線５４ｂの近傍に設置する作業を容易かつ安全に行うことが可能である。
さらに、アイボルト５，５を利用すれば、本体上部３の上面３ａに吊り下げ用ロープ１５の両端が確実に固定されるため、図１３（ａ）に示すように、吊り下げ用ロープ１５，１５を用いて吊線２２から吊り下げるようにして、本体上部３を所望の場所に設置することができる。
【００３９】
すなわち、電源切換装置１ｂは実施例１の電源切換装置１ａに比べて軽量であるため、吊線２２に吊り下げるのに適した構造といえる。そして、電源切換装置１ｂにおいては、蝶ネジ９を係止具１０から外すことによって、本体上部３から本体下部４を分離することができる。すなわち、電源切換装置１ｂによれば、コンバータ１７やインバータ１８などが収容されているために開閉器１９が収容された本体上部３に比べて重量のある本体下部４を分離することで、吊線２２に対する長期間の吊り下げが可能となる。
さらに、電源切換装置１ｂは、固定具８の接触面８ａを電柱５１ａの側面に当接させることにより、電柱５１ａに対する本体上部３の設置状態が安定するという作用を有する。したがって、例えば、図１３（ｂ）に示すように、電柱５１ａの側面に繊維バンド等を用いて固定することにより、吊線２２から吊り下げることができない場所に対しても安全に設置することができる。
【００４０】
次に、電源切換装置１ｂを用いて、隣接柱に設置された他の変圧器から仮引込線を施設し低圧配電線の電源を無停電で切り換える作業について、図１４及び図１５を用いて説明する。
図１４は低圧配電線５３ａの電源を無停電で切り換えるために、隣接する他の電柱５１ｂに設置された柱上変圧器５２ｂから仮引込線５４ｂを施設する作業を、電源切換装置１ｂを用いて行う手順を示したフローチャートである。また、図１５（ａ）及び図１５（ｂ）は電源切換装置１を仮引込線５４ｂに取り付けた状態を表す系統図である。
なお、図１４に示したステップＳ１〜ステップＳ４は図２を用いて既に説明したステップＳ１〜ステップＳ４と同一であるため、その説明を省略する。
電源切換装置１ｂにおいては、実施例１の電源切換装置１ａとは異なり、仮引込線５４ｂを既設引込線５４ａに接続する工程が不要である。したがって、図１４に示すように、ステップＳ５において開閉器１９を閉じた後（図１５（ａ）参照）、ステップＳ７において本体下部４を本体上部３から取り外すだけで良い（図１５（ｂ）参照）。
【００４１】
さらに、柱上変圧器５２ａの交換工事等が完了後に、既設引込線５４ａを常時系統の低圧配電線５３ａに再び接続する作業について、図１６〜図１８を参照しながら説明する。
図１６は低圧配電線５３ａの電源を無停電で切り換える作業において、隣接する他の電柱５１ｂに設置された柱上変圧器５２ｂとの間に施設した仮引込線５４ｂを撤去する作業を電源切換装置１ｂを用いて行う手順を示したフローチャートである。また、図１７及び図１８は電源切換装置１ｂを既設引込線５４ａと仮引込線５４ｂに取り付けた状態を表す系統図である。
【００４２】
図１６に示すように、まず、ステップＳ１０において、高所作業車等を用いて本体上部３に本体下部４を取り付ける作業を行う（図１７（ａ）参照）。なお、この時点ではまだインバータ１８から既設引込線５４ａに対して交流電流は供給されていない。
ステップＳ１１では、インバータ１８の位相角を仮引込線５４ｂに同期させ、インバータ１８から端子１６ｂを介して既設引込線５４ａに電気を供給可能とした後、ステップＳ１４において、開閉器１９を開く（図１７（ｂ）参照）。
さらに、ステップＳ１５において、インバータ１８の位相角を常時系統の低圧配電線５３ａに同期させた後（図１８（ａ）参照）、ステップＳ１６において、既設引込線５４ａを常時系統の低圧配電線５３ａに接続する（図１８（ｂ）参照）。そして、ステップＳ１７では、電源切換装置１ｂを既設引込線５４ａ及び仮引込線５４ｂから取り外す。
【００４３】
以上説明したように、電源切換装置１ｂによれば、配電線への取付け又は配電線からの取り外しや運搬等の作業が容易であることに加え、配電線に対して長期間設置することができる。そのため、隣接柱に設置された他の変圧器から仮引込線を施設し低圧配電線の電源を無停電で切り換える作業を行う際に仮引込線を既設引込線に接続する必要がない。したがって、作業時間と作業コストを大幅に削減することができる。
【産業上の利用可能性】
【００４４】
本発明の請求項１乃至請求項５に記載された発明は、配電用柱上変圧器を停電させる工事において、隣接柱の他の変圧器から仮引込線を施設し無停電で切換を実施する必要がある場合に適用可能である。
【符号の説明】
【００４５】
１ａ，１ｂ…電源切換装置  ２ａ，２ｂ…端子部  ３…本体上部  ３ａ…上面  ３ｂ…側面  ３ｃ…背面  ３ｄ…下面  ４…本体下部  ４ａ…上面  ４ｂ…側面  ４ｃ…背面  ５…アイボルト  ６…カプラ  ７…留め金  ８…固定具  ８ａ…接触面  ９…蝶ネジ  ９ａ…回動軸  １０…係止具  １１…蝶番  １２ａ，１２ｂ…電極  １３…カバー  １４…バネ  １５…吊り下げ用ロープ  １６ａ〜１６ｃ…端子  １７…コンバータ  １８…インバータ  １９…開閉器  ２０…同期回路  ２１…ケーブル  ２２…吊線  ５０…高圧配電線  ５１ａ，５１ｂ…電柱  ５２ａ，５２ｂ…柱上変圧器  ５３ａ，５３ｂ…低圧配電線  ５４ａ…既設引込線  ５４ｂ…仮引込線  ５５…建物    
【図１】
0005989709.tif 000002
【図２】
0005989709.tif 000003
【図３】
0005989709.tif 000004
【図４】
0005989709.tif 000005
【図５】
0005989709.tif 000006
【図６】
0005989709.tif 000007
【図７】
0005989709.tif 000008
【図８】
0005989709.tif 000009
【図９】
0005989709.tif 000010
【図１０】
0005989709.tif 000011
【図１１】
0005989709.tif 000012
【図１２】
0005989709.tif 000013
【図１３】
0005989709.tif 000014
【図１４】
0005989709.tif 000015
【図１５】
0005989709.tif 000016
【図１６】
0005989709.tif 000017
【図１７】
0005989709.tif 000018
【図１８】
0005989709.tif 000019